(57)【要約】【課題】自律神経の乱れによるめまいを抑制することができる眼鏡を提供する。【解決手段】眼鏡１は、フレーム部２と、左右一対のレンズ部３とを備えている。左右一対のレンズ部３の各々は透明部３１と、不透明部３２とをそれぞれ含んでいる。不透明部３２は、左右延在部３２１と、上下延在部３２２とを含んでいる。フレーム部２が装着者１０に装着されることにより左右一対のレンズ部３の各々が装着者１０の左右の角膜１１の各々にそれぞれ重ねられた状態で、レンズ部３に対して角膜１１と反対側からレンズ部３を見たときに、左右延在部３２１は上下方向において角膜１１の上側の縁と重なるように配置されており、上下延在部３２２は左右方向において角膜１１の外側の縁と重なるように配置されている。【選択図】図２
0003212577.tif 000002
【実用新案登録請求の範囲】
【請求項１】
フレーム部と、
前記フレーム部に保持された左右一対のレンズ部とを備え、
左右一対の前記レンズ部の各々は、透明部と、前記透明部を仕切る不透明部とをそれぞれ含み、
前記不透明部は、左右一対の前記レンズ部の各々において、左右方向に延びる左右延在部と、前記左右延在部から上下方向に延びる上下延在部とを含み、
前記フレーム部が装着者に装着されることにより左右一対の前記レンズ部の各々が前記装着者の左右の角膜の各々にそれぞれ重ねられた状態で、前記レンズ部に対して前記装着者の前記角膜と反対側から前記レンズ部を見たときに、前記左右延在部は前記上下方向において前記角膜の上側の縁と重なるように配置されており、前記上下延在部は前記左右方向において前記角膜の外側の縁と重なるように配置されている、眼鏡。
【請求項２】
前記不透明部は、前記レンズ部の下縁に沿って前記左右方向に延びる下縁部を含み、
前記下縁部は、前記左右方向において前記上下延在部の内側に配置されている、請求項１に記載の眼鏡。
【請求項３】
前記フレーム部は、左右一対の前記レンズ部の各々の周囲を取り囲むように構成された左右一対のリムを含み、
左右一対の前記リムの各々は、前記透明部よりも光の透過率が低くなり、かつ前記不透明部よりも光の透過率が高くなるように構成されている、請求項１または２に記載の眼鏡。
【考案の詳細な説明】
【技術分野】
【０００１】
本考案は、眼鏡に関するものであり、特に、めまいを抑制するための眼鏡に関するものである。
【背景技術】
【０００２】
めまいの種類として、回転性めまい、浮動性めまい、立ちくらみがある。これらのめまいのうち浮動性めまいは、自律神経失調症などによる自律神経の乱れによって生じることが知られている。
【考案の概要】
【考案が解決しようとする課題】
【０００３】
自律神経の乱れによるめまいについては、自律神経の乱れを生じさせる原因の特定が困難であるために有効な治療方法が見出せない場合がある。この場合には、自律神経の乱れによるめまいを抑制することは困難である。
【０００４】
本考案は上記課題に鑑みてなされたものであり、その目的は、自律神経の乱れによるめまいを抑制することができる眼鏡を提供することである。
【課題を解決するための手段】
【０００５】
本考案の眼鏡は、フレーム部と、フレーム部に保持された左右一対のレンズ部とを備えている。左右一対のレンズ部の各々は、透明部と、透明部を仕切る不透明部とをそれぞれ含んでいる。不透明部は、左右一対のレンズ部の各々において、左右方向に延びる左右延在部と、左右延在部から上下方向に延びる上下延在部とを含んでいる。フレーム部が装着者に装着されることにより左右一対のレンズ部の各々が装着者の左右の角膜の各々にそれぞれ重ねられた状態で、レンズ部に対して装着者の角膜と反対側からレンズ部を見たときに、左右延在部は上下方向において角膜の上側の縁と重なるように配置されており、上下延在部は左右方向において角膜の外側の縁と重なるように配置されている、
【考案の効果】
【０００６】
本考案の眼鏡によれば、自律神経の乱れによるめまいを抑制することができる。
【図面の簡単な説明】
【０００７】
【図１】本考案の一実施の形態における眼鏡の構成を概略的に示す斜視図である。
【図２】本考案の一実施の形態における眼鏡の装着者に装着された状態を概略的に示す正面図である。
【考案を実施するための形態】
【０００８】
以下、本考案の一実施の形態について図に基づいて説明する。まず、図１を参照して、本考案の一実施の形態における眼鏡１の構成について説明する。本考案の一実施の形態における眼鏡１は、フレーム部２と、左右一対のレンズ部３とを主に備えている。フレーム部２は、左右一対のリム２１と、ブリッジ２２と、左右一対のパッド２３と、左右一対のヨロイ２４と、左右一対の丁番２５と、左右一対のテンプル２６とを備えている。リム２１、ブリッジ２２、パッド２３、ヨロイ２４、テンプル２６の材料には、例えば樹脂が用いられる。丁番２５の材料には、例えば金属が用いられる。
【０００９】
左右一対のレンズ部３はフレーム部２に保持されている。具体的には、左右一対のレンズ部３の各々はフレーム部２の左右一対のリム２１の各々にそれぞれ挿入された状態で保持されている。左右一対のリム２１は、左右一対のレンズ部の各々の周囲を取り囲むように構成されている。左右一対のリム２１はブリッジ２２によって互いに接続されている。眼鏡１が装着された際に装着者の鼻に当接する左右一対のパッド２３は、ブリッジ２２に保持されている。左右一対のヨロイ２４の各々は、左右一対のリム２１の各々に接続されている。左右一対の丁番２５の各々は、左右一対のヨロイ２４の各々と左右一対のテンプル２６の各々とをそれぞれ開閉自在に接続している。
【００１０】
左右一対のレンズ部３の各々は透明部３１と、不透明部３２とをそれぞれ含んでいる。透明部３１は、光の透過率が極めて高く、透明部３１を通してその向こう側が透けて見えるように構成されている。透明部３１の材料には、例えば樹脂が用いられる。不透明部３２は、光の透過率が極めて低く、不透明部３２を通してその向こう側が透けて見えないように構成されている。不透明部３２は透明部３１を仕切るように構成されている。不透明部３２の材料には例えば樹脂が用いられる。本考案の一実施の形態においては、不透明部３２は、レンズ部３の表面に貼付けられたテープにより構成されている。なお、不透明部３２は、レンズ部３に塗料を塗ることにより構成されていてもよく、レンズ部３自体を着色することにより構成されていてもよい。また、不透明部３２の幅は、例えば８．５ｍｍ以上９．５ｍｍ以下が好ましく、特に９ｍｍが好ましい。不透明部３２は、複数の部材により構成されていてもよく、１つの部材により一体に構成されていてもよい。本考案の一実施の形態においては、不透明部３２は複数の部材より構成されている。
【００１１】
不透明部３２は、左右延在部３２１と、上下延在部３２２と、下縁部３２３とを含んでいる。左右延在部３２１は、左右一対のレンズ部３の各々において、左右方向に延びるように構成されている。具体的には、左右延在部３２１は、左右一対のレンズ部３の各々の左縁と右縁とに亘って左右方向に延びるように構成されている。上下延在部３２２は、左右延在部３２１から上下方向に延びるように構成されている。上下延在部３２２は、上側延在部３２２ａと、下側延在部３２２ｂとを含んでいる。上側延在部３２２ａは、左右延在部３２１からレンズ部３の上縁に亘って上方向に延びるように構成されている。下側延在部３２２ｂは、左右延在部３２１からレンズ部３の下縁に亘って下方向に延びるように構成されている。下側延在部３２２ｂは、左右延在部３２１に対して上側延在部３２２ａと反対側に延びるように構成されている。つまり、下側延在部３２２ｂは、左右延在部３２１を挟んで上側延在部３２２ａと直線状に並んで配置されている。下縁部３２３は、レンズ部３の下縁に沿って左右方向に延びるように構成されている。下縁部３２３は、左右方向において上下延在部３２２の内側に配置されている。なお、下縁部３２３は、左右方向において上下延在部３２２の外側には配置されていない。具体的には、下縁部３２３は、左右方向において下側延在部３２２ｂの内側に配置されている。本考案の一実施の形態においては、不透明部およびリム２１は青色に着色されている。
【００１２】
上下方向において左右延在部３２１とレンズ部３の上縁との間に透明部３１が配置されている。上下方向において左右延在部３２１と下縁部３２３との間に透明部３１が配置されている。左右方向において下側延在部３２２ｂの外側では、上下方向において左右延在部３２１とレンズ部３の下縁との間に透明部３１が配置されている。上側延在部３２２ａの左右に透明部３１が配置されている。下側延在部３２２ｂの左右に透明部３１が配置されている。つまり、左右延在部３２１、上下延在部３２２の周囲に透明部３１が配置されている。
【００１３】
左右一対のリム２１は、左右一対のレンズ部３の各々の周囲を取り囲むように構成されている。左右一対のリム２１の各々は、透明部３１よりも光の透過率が低くなり、かつ不透明部３２よりも光の透過率が高くなるように構成されている。本考案の一実施の形態においては、リム２１は、透光性を有するように構成されている。つまり、リム２１は、光の透過率が低いために、透明と違ってその材質を通して向こう側の形状等を明確に認識できない、又はまったく認識できないように構成されている。
【００１４】
図２を参照して、フレーム部２が装着者１０に装着されることにより左右一対のレンズ部３の各々が装着者１０の左右の眼球における角膜（黒目）１１の各々にそれぞれ重ねられた状態で、レンズ部３に対して装着者１０の眼球における角膜１１と反対側からレンズ部３を見たときに、左右延在部３２１は、上下方向において角膜１１の上側の縁と重なるように配置されている。また、このときに、上下延在部３２２は、左右方向において角膜１１の外側の縁と重なるように配置されている。具体的には、上下延在部３２２の下側延在部３２２ｂが左右方向において角膜１１の外側の縁と重なるように配置されている。さらに具体的には、左右延在部３２１は、角膜１１の直径の１／４以上１／３以下の範囲において角膜１１の上側の縁と重なるように配置されていることが好ましい。そして、左右延在部３２１は、角膜１１の直径の１／３で角膜１１の上側の縁と重なるように配置されていることが特に好ましい。本考案の一実施の形態における眼鏡１を装着した装着者１０は、左右延在部３２１、下側延在部３２２ｂ、下縁部３２３およびリム２１で囲まれた透明部３１から主に視界を確保する。図２においては、説明の便宜のため、この透明部３１に斜線が付されている。
【００１５】
次に、本考案の一実施の形態における眼鏡１の作用効果について説明する。
自律神経の乱れによるめまいは、平衡機能に異常をきたすことにより生じることが知られている。視覚からの情報は、脳で情報処理され、平衡機能の維持に用いられる。そのため、視覚からの情報は、平衡機能に影響する。視覚からの情報を調整することにより、平衡機能を調整して、自律神経の乱れによるめまいを抑制することができることを考案者は見出した。
【００１６】
本考案の一実施の形態における眼鏡１によれば、レンズ部３が透明部３１と不透明部３２とを備えているため、装着者１０の視界を部分的に遮ることができる。具体的には、左右延在部３２１が角膜１１の上側の縁と重なるように配置されているため、視界の上側を遮ることで視界の上側における情報を抑制することができる。これにより、空などの遠くに離れているために距離感をつかみにくい対象からの視覚情報を制限することができる。また、左右延在部３２１が左右方向に延在しているため、左右延在部３２１により水平方向を認識することが容易となる。これにより、平衡感覚を得ることが容易となる。
【００１７】
また、上下延在部３２２が左右方向において角膜１１の外側の縁と重なるように配置されているため、左右方向の視界の外縁を遮ることで視界の外側における情報を抑制することができる。これにより、平衡感覚をつかみにくい視界に横から入ってくる対象からの視覚情報を制限することができる。また、上下延在部３２２が上下方向に延在しているため、上下延在部３２２により垂直方向（重力方向）を認識することが容易となる。これにより、平衡感覚を得ることが容易となる。
【００１８】
他方、自律神経の乱れによるめまいは閉塞感により悪化することがある。本考案の一実施の形態における眼鏡では、透明部３１により不透明部３２以外では視界を確保することができる。そのため、適度な解放感を与えることができる。したがって、透明部３１によって視界を遮り過ぎることによる閉塞感を抑制することができるため、自律神経の乱れによるめまいを抑制することができる。
【００１９】
上述の通り、視覚からの情報を調整することにより、自律神経の乱れによるめまいを抑制することができることを考案者は見出した。
【００２０】
本考案の一実施の形態における眼鏡１によれば、下縁部３２３がレンズ部３の下縁に沿って左右方向に延びているため、装着者の足などの視覚の下側の近くにあって動きの速い対象からの視覚情報を制限することができる。また、下縁部３２３が左右方向において上下延在部３２２の内側に配置されており、外側には配置されていないため、外側において視界を確保することができる。これにより、適度な解放感を与えることができる。
【００２１】
本考案の一実施の形態における眼鏡１によれば、フレーム部２は、左右一対のレンズ部３の各々の周囲を取り囲むように構成された左右一対のリム２１を含んでいる。リム２１は、透明部３１よりも光の透過率が低くなり、かつ不透明部３２よりも光の透過率が高くなるように構成されている。このため、リム２１によってレンズ部３の周囲の視界を遮ることができる。したがって、レンズ部３の周囲からの視覚情報を制限することができる。これにより、自律神経の乱れによるめまいを効果的に抑制することができることを考案者は見出した。
【００２２】
本考案の一実施の形態における眼鏡１においては、不透明部３２およびリム２１は青色に着色されている。このため、不透明部３２およびリム２１を同色に着色することで、ファッション性を向上させることができる。また、青色は精神を落ち着かせる色であるため、不透明部３２による圧迫感を抑制することで、自律神経の乱れによるめまいの抑制に効果的であることを考案者は見出した。
【００２３】
以上、本考案の実施の形態について説明したが、今回開示された実施の形態は全ての点で例示であって制限的なものではないと考えられるべきである。本考案の範囲は実用新案登録請求の範囲によって示され、実用新案登録請求の範囲と均等の意味および範囲内での全ての変更が含まれることが意図される。
【符号の説明】
【００２４】
１  眼鏡、２  フレーム部、３  レンズ部、２１  リム、２２  ブリッジ、２３  パッド、２４  ヨロイ、２５  丁番、２６  テンプル、３１  透明部、３２  不透明部、３２１  左右延在部、３２２  上下延在部、３２３  下縁部。
【図１】
0003212577.tif 000003
【図２】
0003212577.tif 000004